(57)【要約】【課題】装飾部を上下に形成して装飾部に奥行きを形成し、上下に形成される各装飾部を重ねることにより一つのまとまったモチーフを持った装飾美を形成できるとともに、その際に上下の各装飾部の宝石から得られるブリリアンシー（輝）、ディスパージョン（分散）、シンチレーション（きらめき）が相乗して（重なって）発揮され、さらに装飾部の重なり具合を外部から楽しめる、趣向に富んだ装飾品を提供する。【解決手段】ハウジング１０と、ハウジングに収容される透明基体２０と、透明基体に支持され透明基体の表面より隆起した部分を有するように配設された宝石３０とを備えている。宝石により形成される装飾部を上下に形成して装飾部に奥行きを形成し、上下に形成される各装飾部を重ね装飾美を形成する。【選択図】図２
2012152534.tif 000002
【特許請求の範囲】
【請求項１】
ハウジングと、該ハウジングに収容される透明基板と、該透明基板の支持され透明基体の表面より隆起した部分を有するように配設された宝石とを備えてなる装飾品において、
前記宝石により形成される装飾部を前記ハウジングの上下方向に形成して該装飾部に奥行きを形成し、上下に形成される各装飾部を重ねることにより装飾美を形成することを特徴とする装飾品。
【請求項２】
前記透明基体の中央に貫通孔が形成され、該貫通孔にダイヤモンドの底部を挿入して保持していることを特徴とする請求項１に記載の装飾品。
【請求項３】
前記透明基体は、第１の透明基体と、該第１の透明基体を支承する第２の透明基体を少なくとも含んで構成され、前記第１の透明基体、第２の透明基体は前記ハウジングに収容され、前記ハウジングは、前記透明基体により仕切られる宝石収容用のスペースを有し、該スペースに前記宝石が収容されることを特徴とする請求項１または２に記載の装飾品。
【請求項４】
前記第２の透明基体は外周より立ち上がった立上り片を有し、この立上り片の自由端側において前記第１の透明基体を支承していることを特徴とする請求項３に記載の装飾品。
【請求項５】
前記透明基体は間隔を持って層状に複数枚配設されて構成され、前記各透明基体上に宝石を配して上下方向に奥行きのある装飾部を形成し、宝石により形成される各層の装飾部を重ねてモチーフが形成されることを特徴とする請求項１または３に記載の装飾品。
【請求項６】
前記透明基体は間隔を持って層状に複数枚配設されて透明基体群を構成し、最下層の前記透明基体の裏面に下絵を設け、前記下絵に沿って前記各透明基体上に宝石を配して上下方向に奥行きのある装飾部を形成し、宝石により形成される各層の装飾部を重ねて前記下絵に沿ったモチーフが形成されることを特徴とする請求項１または３に記載の装飾品。
【請求項７】
前記各透明基体間にスペーサが介在していることを特徴とする請求５または６に記載の装飾品。
【発明の詳細な説明】
【技術分野】
【０００１】本発明は身飾品、ジュエリーアート等の装飾品に関するものである。
【背景技術】
【０００２】樹脂製基材の表面に、粉状または粒状の宝石を集めて接着された美術装飾品が提案されている（特許文献１）。
【先行技術文献】
【０００３】
【特許文献１】  特開２００８−２９０３１７号公報
【発明が解決しようとする課題】
【０００４】特許文献１の先行技術にあっては、一枚の樹脂製基材の表面に宝石を盛り上がった状態で立体的に配置できるものの、
（１）宝石を一枚の樹脂製基材の表面に集めて接着したものであり、大粒石，小粒石を樹      脂製基材の表面に配置したとしても形成される装飾部の奥行きに限界があるため、      宝石の輝きや装飾部の重なり具合を楽しむことができない、
（２）宝石が露出しているため物が当るなどして宝石に傷がつきやすい、
（３）接着剤の劣化や、衣類や物に当ることにより宝石が樹脂製基材から剥がれ宝石を紛      失するおそれがある、
等の問題点があった。
【０００５】従って、本発明の目的は、装飾部を上下に形成して装飾部に奥行きを形成し、上下に形成される各装飾部を重ねることにより一つのまとまったモチーフを持った装飾美を形成できるとともに、その際に上下の各装飾部の宝石から得られるブリリアンシー（輝）、ディスパージョン（分散）、シンチレーション（きらめき）が相乗して（重なって）発揮され、さらに装飾部の重なり具合を外部から楽しめる、趣向に富んだ装飾品を提供することにある。
【０００６】本発明の他の目的は、基板上に接着される宝石に傷がつかない装飾品を提供することにある。
【０００７】本発明のもう一つ他の目的は、接着剤の劣化等により基板からたとえ宝石が剥がれることがあっても宝石を紛失するおそれがない装飾品を提供することにある。
【課題を解決するための手段】
【０００８】本願に係る装飾品は、ハウジングと、該ハウジングに収容される透明基体と、該透明基体に支持され透明基体の表面より隆起した部分を有するように配設された宝石とを備えてなる装飾品であり、前記宝石により形成される装飾部を上下に形成して該装飾部に奥行きを形成し、上下に形成される各装飾部を重ね装飾美を形成することを特徴としている。
【０００９】前記透明基体の中央に貫通孔を形成し、該貫通孔にダイヤモンドの底部を挿入して保持するようにできる
【００１０】前記透明基体を、第１の透明基体と、該第１の透明基体を支承する第２の透明基体を少なくとも含んで構成し、前記第１の透明基体、第２の透明基体を前記ハウジングに収容し、前記ハウジングは、前記透明基体により仕切られる宝石収容用のスペースを有し、該スペースに前記宝石を収容するようにできる。
【００１１】前記第２の透明基体が外周より立ち上がった立上り片を備え、この立上り片の自由端側において前記第１の透明基体を支承するようにできる。
【００１２】また、本願に係る装飾品は、ハウジングと、該ハウジングに収容される透明基体と、該透明基体の表面に支持され隆起した部分を有するように配設された宝石とを備えてなる装飾品において、前記透明基体は間隔を持って層状に複数枚配設されて構成され、前記各透明基体上に宝石を配して上下方向に奥行きのある装飾部を形成し、宝石により形成される各層の装飾部を重ねてモチーフを形成するようにすることもできる。
【００１３】さらに、本願に係る装飾品は、ハウジングと、該ハウジングに収容される透明基体と、該透明基体の表面に接着され隆起した部分を有するように配設された宝石とを備えてなる装飾品において、前記透明基体は間隔を持って層状に複数枚配設されて透明基体群を構成し、最下層の前記透明基体の裏面に下絵を設け、前記下絵に沿って前記各透明基体上に宝石を配して上下方向に奥行きのある装飾部を形成し、宝石により形成される各層の装飾部を重ねて前記下絵に沿ったモチーフを形成することもできる。
【発明の効果】
【００１４】  本発明は以上の如く構成され、本発明によれば次の効果を奏する。
（１）装飾部を上下に形成して装飾部に奥行きを形成し、上下に形成される各装飾部を重    ねることにより一つのまとまったモチーフを持った装飾美を形成できるとともに、そ    の際に上下の各装飾部の宝石から得られるブリリアンシー（輝）、ディスパージョン    （分散）、シンチレーション（きらめき）が相乗して（重なって）発揮され、さらに    装飾部の重なり具合を外部から楽しめる、趣向に富んだ装飾品が得られる。
（２）基板上に接着される宝石に傷がつかない装飾品が得られる。
（３）基板から宝石が剥がれることがあっても宝石を紛失するおそれがない装飾品が得ら    れる。
（４）通常のジュエリーのように金属の爪片により宝石を石止めする作業工程がなく、ジ    ュエリー作成中に宝石に傷がつく心配がない装飾品が得られる。
【図面の簡単な説明】
【００１５】
【図１】本発明に係る装飾品の一例を示し、装飾品をペンダントとして形成した例の平面略図を示す。
【図２】図１に示す装飾品の正面略図を示す。
【図３】図１に示す装飾品を構成する第１の透明基体の平面図である。
【図４】図３のＸ１−Ｘ１断面図である。
【図５】図１に示す装飾品を構成する第２の透明基体の平面図である。
【図６】図５のＸ２−Ｘ２断面図である。
【図７】本発明に係る装飾品の他の例を示し、身飾品をペンダントとして形成した例の平面略図を示す。
【図８】図７に示す装飾品の正面略図を示す。
【図９】図７に示す装飾品を構成する第１の透明基体の平面図である。
【図１０】図７のＸ３−Ｘ３断面図である。
【図１１】本発明に係る装飾品のもう一つ他の例を示し、身飾品をペンダントとして形成した例の正面略図を示す。
【図１２】図１１に示す装飾品を構成する第１の透明基体の平面図である。
【図１３】図１２のＸ４−Ｘ４断面図である。
【図１４】装飾品を構成するハウジングの他の例を示す斜視図である。
【図１５】装飾品を構成するハウジングのもう一つ他の例を示す斜視図である。
【図１６】本発明に係る装飾品のさらにもう一つ他の例を示し、装飾品をジュエリーアートとして形成した例の斜視図を示す。
【図１７】図１６に示す装飾品を構成するハウジングの上段に配した第１の透明基体上に、下段に配した第３の透明基体の下側に配設される下絵に描かれた絵柄に沿って宝石を配した状態を示す平面略図である。
【図１８】図１６に示す装飾品を構成するハウジングの中段に配した第２の透明基体上に、下段に配した第３の透明基体の下側に配設される下絵に描かれた絵柄に沿って宝石を配した状態を示す平面略図である。
【図１９】図１６に示す装飾品を構成するハウジングの下段に配した第３の透明基体上に、下段に配した第３の透明基体の下側に配設される下絵に描かれた絵柄に沿って宝石を配した状態を示す平面略図である。
【図２０】図１６に示す装飾品を構成する宝石を配した、上段の第１の透明基体と下段の第３の透明基体とを上下に２層重ねた状態（における絵柄）を示す平面略図である。
【図２１】図１６に示す装飾品を構成する宝石を配した、中段の第２の透明基体と下段の第３の透明基体とを上下に２層重ねた状態（における絵柄）を示す平面略図である。
【図２２】図１６に示す装飾品を構成する宝石を配した、上段の第１の透明基体と中段の第２の透明基体と下段の第３の透明基体とを上中下に３層重ねた状態（における絵柄）を示す平面略図である。
【図２３】図１６に示す装飾品を構成する宝石を配した、上段の第１の透明基体と中段の第２の透明基体と下段の第３の透明基体とを上中下に３層重ねた状態における絵柄を示す斜視略図である。
【図２４】図１６に示す装飾品を構成する宝石を配した、上段の第１の透明基体と中段の第２の透明基体と下段の第３の透明基体とを上中下に３層重ねた状態の要部正面拡大略図である。
【図２５】図１６に示す装飾品を構成する宝石を配した、上段の第１の透明基体と中段の第２の透明基体と下段の第３の透明基体とを上中下に３層重ねた状態の要部拡大斜視図である。
【図２６】図１６に示す装飾品のハウジング外形を示す平面略図である。
【図２７】図２６のＸ５−Ｘ５断面図である。
【図２８】図１６に示す装飾品を構成するハウジング、透明基体、蓋体等を分離して構成部品を示す斜視図である。
【図２９】基板に接着された宝石の形状の一例を示す正面図である。
【図３０】基板に接着された宝石の他の形状を示す正面図である。
【図３１】基板に接着された宝石のもう一つ他の形状を示す正面図である。
【発明を実施するための形態】
【００１６】装飾品は、ハウジングと、該ハウジングに収容される透明基体と、該透明基体に支持され透明基体の表面より隆起した部分を有するように配設された宝石とを備えてなる装飾品であり、装飾部を上下に形成して装飾部に奥行きを形成し、上下に形成される各装飾部を重ねることにより一つのまとまったモテーフを持った装飾美を形成する。
【００１７】透明基体は、アクリル樹脂、ガラス等により構成される。
【００１８】装飾品をジュエリーアートとして提供する場合、ハウジングや台座の下面からバックライトを当てることにより一層美しさを発揮する装飾品となる。
【００１９】宝石として、ダイヤモンド、ルビー、めのう、水晶などを用いることができる。
【００２０】宝石を基体に接着する場合には、接着剤としてエポキシ系接着剤、シアノアクリレート系接着剤、それらを混合した接着剤等を用いることができる。
【００２１】宝石としてはブリリアンカットされたダイヤモンドを使用できることは勿論のこと、複数の粒径の宝石のみを使用することもでき、粒径の宝石を使用する場合には、０．１ｍｍ〜１０ｍｍ程度のものを用いることができる。
【実施例】
【００２２】以下に、本発明に係る装飾品の実施例について図面を参照して説明する。【００２３】（第１の実施例）
図１乃至図６に装飾品をペンダントとして形成した例を示す。【００２４】装飾品１は、ハウジング１０と、該ハウジングに収容される透明基体２０と、該透明基体に保持（支持）乃至接着され隆起部を形成する宝石３０，３１を備えている。【００２５】前記ハウジング１０は、クリスタルガラス、サファイアガラス等の透明体により、断面形状がドーム状に形成されている。【００２６】前記透明基体２０は、第１の透明基体２１と、該第１の透明基体２１を支承する第２の透明基体２５より構成され、前記のとおり、前記第１の透明基体２１、第２の透明基体２５は前記ハウジングに収容され、前記ハウジングは、前記第１の透明基体２１と第２の透明基体２５により仕切られる宝石収容用の２つのスペース（空所）１１，１２を有している。前記ハウジング１０の開口部１３に前記第２の透明基体２５の外周部が嵌合し前記開口部１３は封鎖される。【００２７】前記第１の透明基体２１の中央に貫通孔２２が形成され、該貫通孔２２にダイヤモンド３０のパビリオン面側の底部を挿入しダイヤモンド３０は接着剤を使用することなく保持され、宝石の輝きが接着剤により減少することを回避できる。前記第２の透明基体２５には円周状に１２個の粒状の宝石３１が接着して配設されている。【００２８】前記第２の透明基体２５は外周より等間隔にて立ち上がった４本の立上り片２６を有し、この立上り片の自由端側において前記第１の透明基体２１を支承している。【００２９】符号５０は下絵、６０は台座、７０は鎖であり、前記ハウジング１０と台座６０の間に下絵５０を配設し、下絵５０により宝石を所望位置へ配置することの誘導を行う。【００３０】（第２の実施例）
図７乃至図１０に装飾品をペンダントとして形成した第２の実施例を示す。
第１の実施例と同じ符号は同部材を示す。【００３１】この実施例の装飾品１０１では、透明基体１２０が、円盤状の第１の透明基体１２１と、該第１の透明基体１２１を支承する第２の透明基体２５より構成され、該第１の透明基体１２１の表面に粒状の宝石を１２個円周状に配し接着している。【００３２】（第３の実施例）
図１１乃至図１３に装飾品をペンダントとして形成した第３の実施例を示す。
第１の実施例と同じ符号は同部材を示す。【００３３】この実施例の装飾品２０１では、透明基体２２０が、円盤状の基体部２２１と、該基体部の中央より隆起しくり抜き２２３を有する立上り部２２２より形成され、前記基体部２２１の表面に粒状の宝石を１２個円周状に配して接着し、前記立上り部２２２のくり抜き２２３にダイヤモンド３０のパビリオン面側の底部を挿入しダイヤモンド３０を保持している。【００３４】なお、ハウジングの形状は図１４、図１５に示すように、平面視ハート形のハウジング１１０Ａ、星形のハウジン１１Ｂなど任意の形状をとることができる。【００３５】（第４の実施例）
図１６乃至図２８に装飾品をジュエリーアートとして形成した第４の実施例を示す。【００３６】装飾品３０１は、ハウジング３１０と、該ハウジングに収容される透明基体３２０（３２１，３２２，３２３）と、該透明基体の表面に集積高さが均一でないように接着され隆起部を有するように接着された宝石３３０（３３１，３３２，３３３）を備えている。前記ハウジングの開口部３１１は、透明基体により形成された蓋体３１２により被蓋される。【００３７】前記透明基体３２０は、同一サイズの矩形に形成された３枚（第１の透明基体３２１，第２の透明基体３２２，第３の透明基体３２３）の各透明基体を層状に配設して透明基体群を構成している。【００３８】前記各透明基体間には左右一対のスペーサ３４１，３４２が介在している。このスペーサ３４１，３４２の高さ（Ｌ）を変えることにより各透明基体間の間隔Ｌ１，Ｌ２を自由に設定できる自由度を有する。また、前記蓋体３１２と上層の前記透明基体３２１との間にも左右一対のスペーサ３４３が介在し、前記蓋体３１２と前記透明基体３２１との間隔Ｌ３も自由に設定できる自由度を有している。間隔Ｌ１，Ｌ２，Ｌ３によって形成される空間は宝石収容スペースを形成する。【００３９】最下層の前記透明基体３２３の裏面に下絵３５０が配設されている。符号３２５，３２６，３２７は、前記ハウジング３１０から透明基板３２０（３２１，３２２，３２３）を取り外す際に用いる指挿入用の切欠けであり、前記第１の透明基体３２１，第２の透明基体３２２，第３の透明基体３２３に半円状の欠所により形成している。【００４０】かくして、前記透明基体３２１，３２２，３２３上に前記宝石３３１，３３２，３３３を接着して上下方向に装飾部の奥行きを形成し、前記宝石により形成される各層の装飾部を重ねて前記下絵３５０に描かれたモチーフ（うさぎ，蝶、ハートの図形など）に沿った装飾美が形成される。【００４１】宝石を透明基体に接着する場合、宝石（３３０Ａ，３３０Ｂ）の底部を透明基体の表面に接着してもよく（図２９、図３０）、また図３１に示すように、宝石（３３０Ｃ）底部の形状に合わせて透明基体に凹部（例えば、逆三角形の凹部）を穿ち、この凹部に宝石の底部を収容し接着するようにしてもよい。
【符号の説明】
【００４２】    １      装飾品
１０      ハウジング
１１      スペース
１２      スペース
１３      開口部
２０      透明基体
２１      第１の透明基体
２２      貫通孔
２５      第２の透明基体
２６      立上り片
３０      宝石
３１      宝石
５０      下絵
６０      台座
７０      鎖
１０１      装飾品
１２０      透明基体
１２１      第１の透明基体
２０１      装飾品
２２０      透明基体
２２１      基体部
２２２      立上り部
２２３      くり抜き
３０１      装飾品
３１０      ハウジング
３１１      開口部
３１２      蓋体
３２０      透明基体
３２１      第１の透明基体
３２２      第２の透明基体
３２３      第３の透明基体
３２５      切欠け
３２６      切欠け
３２７      切欠け
３３０      宝石
３３１      宝石
３３２      宝石
３３３      宝石
３４１      スペーサ
３４２      スペーサ
３４３      スペーサ
３５０      下絵
【図１】
2012152534.tif 000003
【図２】
2012152534.tif 000004
【図３】
2012152534.tif 000005
【図４】
2012152534.tif 000006
【図５】
2012152534.tif 000007
【図６】
2012152534.tif 000008
【図７】
2012152534.tif 000009
【図８】
2012152534.tif 000010
【図９】
2012152534.tif 000011
【図１０】
2012152534.tif 000012
【図１１】
2012152534.tif 000013
【図１２】
2012152534.tif 000014
【図１３】
2012152534.tif 000015
【図１４】
2012152534.tif 000016
【図１５】
2012152534.tif 000017
【図１６】
2012152534.tif 000018
【図１７】
2012152534.tif 000019
【図１８】
2012152534.tif 000020
【図１９】
2012152534.tif 000021
【図２０】
2012152534.tif 000022
【図２１】
2012152534.tif 000023
【図２２】
2012152534.tif 000024
【図２３】
2012152534.tif 000025
【図２４】
2012152534.tif 000026
【図２５】
2012152534.tif 000027
【図２６】
2012152534.tif 000028
【図２７】
2012152534.tif 000029
【図２８】
2012152534.tif 000030
【図２９】
2012152534.tif 000031
【図３０】
2012152534.tif 000032
【図３１】
2012152534.tif 000033